(57)【要約】      （修正有）【課題】市販の蚊取り器でも家白アリを捕殺できるようにする。【解決手段】蚊取り器の建枠の固着は其の儘にして横ビニール枠を取り除く構成とした。【選択図】図１
2020036570.tif 000002
【特許請求の範囲】
【請求項１】
市販されている蚊取り器を家白アリも捕殺出来るように建枠の固着は其の儘にして横ビニール枠を取り除いた家白アリ捕獲器。
【請求項２】
蚊取り器の底板枠の一部を取り除いた請求項１記載の家白アリ捕獲器。
【請求項３】
空き地に吊るされた捕獲器の真下の地面に水の張られた１坪弱の水槽が有り、捕殺も簡単に出来る請求項１記載の家白アリ捕獲器。
【発明の詳細な説明】
【発明の詳細な説明】
【技術分野】
【０００１】  この発明は梅雨時分日暮れ後、集団移動する家白アリの捕獲に関するものである。
【背景技術】
【０００２】  従来の方法は白アリ専門業者が家屋の床下に潜り蟻道や木材の異変を探知し、様々な薬品を施す作業は昼間に行われ、又、お客様の家屋周辺の廃材置き場の家白アリの巣の可能性、或は樹木の切り株のみに住む黒アリの捕殺処分も太陽の明るい時間帯での作業であった。
【発明が解決しようとする課題】
【０００３】  薬品の関係で５年ごとの作業が必要となり、お客様は高額な出費に悩まされる不便さがあり、又、蚊取り器は屋内専用であり、屋外で使用する発想も無く、生きている白アリの捕獲は無理である。本発明はこれらの問題を解決するためになされたものである。
【課題を解決するための手段】
【０００４】  家白アリ捕獲器とは（図１）のように高さ３０ｃｍ、直径１４ｃｍの円形で屋内使用の蚊取り器に似ている。性能は（定格１次電圧１００Ｖ、定格２次電圧９００Ｖ、２次短絡電流２，５ｍＡ、定格周波数５０／６０Ｈｚ）であり、家白アリ捕獲器と蚊取り器とも同じである。
【発明を実施するための形態】
【０００５】  蚊取り器、家白アリ器とも光源は同じであるが家白アリにとっては光を明るくした方が捕殺出来易いように感じたので建枠の固着（図１，２の１１）は其の儘にして横ビニール枠（図１，２の２５）を取り除き、雨除けの為に透明なビニール箱（図４，５の１４）を家白アリ捕獲器（図４，５の１）に被せ、初日は盥（図４，５の１３）無しの状態で夕暮れと共に電源を入れた。
【０００６】  そのあくる日、畳１枚ほどの水槽（図４，５の１２）の水表面（図４，５の１８）に羽を浮かべた白アリの上を生きている羽の無い薄茶色のアリの大軍が這いまわり、生きている鍬形虫、蛾、名も知れぬ数々の昆虫たちも浮かんでいた。水の無い水槽（図４，５の１８）の壁４０ｃｍをよじ登った白アリも多くいた。収穫１，５ｋｇ。
【０００７】  次の日、家白アリ捕獲器下の盥に（図４，５の１３）、茶碗洗いの洗剤を入れたが（図５の１７）盥の中では白アリ、昆虫類は全滅。しかし、死骸上を歩いて逃げた白アリ、昆虫類は盥の外の水上を（図５の１８）埋め尽くし、昨日と同様に水槽（図４，５の１２）の上で逃げ場を探していた。収穫１，５ｋｇ。
【０００８】  ３日目、盥と同じ場所に（図４，５の１３略）衣装ケース（図６，７の２２）に羽を失った白アリが衣装ケースの外に逃げ難くする為に忍び返し（図６，７の２１）を張り付けた。収穫０，５ｋｇ。その後、２週間収穫無し
【発明の効果】
【０００９】  我家から出た家白アリの集団か、他家から来た集団かは判らないが、当地での集団移転の時期は終わり、来年の捕獲結果が楽しみだ。
【符号の説明】図１                                          図４
捕獲器本体      １                            水槽本体        １２
吊り輪          ２                            大盥            １３
電灯線          ３                            透明な箱        １４
差込ソッケト    ４                            電灯線            ３
蛍光灯          ５                            吊り輪            ２
ニクロム線      ６                            差込ソケット      ４
上円筒形枠      ７                            木柱            １５
下円筒形枠      ８                            垂木            １６
豆球            ９
グロ球        １０                            図５
外柱枠        １１                            水槽本体        １２
横枠          ２５                            大盥            １３
洗剤入り水      １７
図２                                          水              １８
外柱枠        １１                            地面            １９
ニクロム線      ６                            水槽鉄足        ２０
グロ球        １０                            忍び返し        ２１
電灯線          ３                            木柱            １５
吊り輪          ２                            垂木            １６
差込ソッケト    ４                            透明な箱        １４
豆球            ９                            蛍光灯            ５
蛍光灯          ５                            差込ソケット      ４
電灯線            ３
図３
捕獲器本体下側  １                            図６
下側外柱枠    １１                            大衣装ケース    ２２
蛍光灯          ５                            忍び返し        ２１
ニクロム線      ６
本体下側ビス  ２３                            図７
電灯線          ３                            大衣装ケース    ２２
忍び返し        ２１
洗剤入り水      １７
【図１】
2020036570.tif 000003
【図２】
2020036570.tif 000004
【図３】
2020036570.tif 000005
【図４】
2020036570.tif 000006
【図５】
2020036570.tif 000007
【図６】
2020036570.tif 000008
【図７】
2020036570.tif 000009
【手続補正書】
【提出日】平成30年10月29日(2018.10.29)
【手続補正１】
【補正対象書類名】明細書
【補正対象項目名】全文
【補正方法】変更
【補正の内容】
【発明の詳細な説明】
【発明の詳細な説明】
【技術分野】
【０００１】この発明は梅雨時分日暮れ後、集団移動する家白アリの捕獲に関するものである。
【背景技術】
【０００２】従来の方法は白アリ専門業者が家屋の床下に潜り蟻道や木材の異変を探知し、様々な薬品を施す作業は昼間のみ行われ、又、お客様の家屋周辺の廃材置き場の家白アリの巣の可能性、或は樹木の切り株に住む黒アリの捕殺処分も太陽の明るい時間帯での作業であった。
【発明が解決しようとする課題】
【０００３】薬品の関係で５年ごとの作業が必要となり、お客様には高額な出費に悩まされる不便さが有り、蚊取り器は屋内専用であり、屋外で使用する発想もなく、生きている白アリの捕獲は無理である。本発明はこれらの問題を解決するためになされたものである。
【課題を解決するための手段】
【０００４】家白アリ捕獲器とは図１正面図のように高さ３０ｃｍ、直径１４ｃｍの円形で屋内使用の蚊取り器に似ている。性能は（定格１次電圧１００Ｖ、定格２次電圧９００Ｖ、２次短絡電流２，５ｍＡ、定格周波数５０／６０Ｈｚ）であり、家白アリ捕獲器と蚊取り器とも同じである。
【発明を実施するための形態】
【０００５】蚊取り器、家白アリ器とも光源は同じであるが家白アリにとっては光を明るくした方が捕殺しやすいように感じたので建枠の固着（図１，２の１１）は其の儘にして横ビニール枠（図１，２の２５）を取り除き、雨除けの為に透明なビニール箱（図４，５の１４）を被せ、初日は夕暮れと共に（図１，２の３電線の先の差込ソケット４）を電源にさした。すると、薄い青色の蛍光灯（図１の５）と赤色の豆球（図１の９）の明かりを目指して無数の白アリが（図１，２ノ６のニクロム線？）にパチパチと音を立てて当たり水面上に落下するのが見えた。
ニクロム線？には電流が流れても流れなくても線の色は変わらない。
【０００６】そのあくる日、畳１枚ほどの水槽（図４，５の１２）の水表面（図４，５の１８）に羽を浮かべた白アリの上を生きている羽の無い薄茶色の白蟻の大軍が這いまわり、水槽の壁をよじ登り、右往左往していた。又、水面上には生きている鍬形虫、蛾、数々の昆虫たちが浮かんでいた。収穫１，５ｋｇ。
【０００７】次の日、家白アリ捕獲器下の大盥（ず４，５の１３）に茶碗洗いの洗剤（図５の１７）を入れたが大盥の中では白アリ、昆虫類も全滅。しかし、死骸の上を歩いて逃げた白アリは大盥の外の水上を（図４，５の１８）埋め尽くし、昨日と同様に水槽（図４，５の１２）の上で逃げ場を探していた。収穫１，５ｋｇ。
【０００８】３日目、盥と同じ場所に大衣装ケース（図６，７の２２）に羽を失った白アリの逃亡を防ぐ為に忍び返し（図６，７の２１）を張り付けた。収穫０，５ｋｇ。その後２週間収穫無し。
【発明の効果】
【０００９】我が家から出た家白アリの集団か、他家から来た集団か判らないが当地での集団移転の時期は、終わり、来年の捕獲結果が楽しみだ。
【符号の説明】
【００１０】捕獲器本体            １
吊り輪                ２
電灯線                ３
差込ソケット          ４
蛍光灯                ５
ニクロム線            ６
上  円筒形枠          ７
下  円筒形枠          ８
豆球                  ９
グロ球              １０
固着した外柱枠      １１
水槽本体            １２
大盥                １３
透明なビニール箱    １４
横木柱              １５
垂木                １６
洗剤入り水          １７
水                  １８
地面                １９
水槽鉄足            ２０
忍び返し            ２１
大衣装ケース        ２２
捕獲器本体下側ビス  ２３
横枠                ２５
【図面の簡単な説明】
【００１１】
【図１】家白アリ捕獲器の正面図
【図２】真上から見た捕獲器
【図３】真下から見た捕獲器
【図４】真上から見た水槽
【図５】横から見た水槽
【図６】真上から見た大衣装ケース
【図７】図６の大衣装ケース、Ａ切断線断面図
【手続補正３】
【補正対象書類名】図面
【補正対象項目名】全図
【補正方法】変更
【補正の内容】
【図１】
2020036570.tif 000010
【図２】
2020036570.tif 000011
【図３】
2020036570.tif 000012
【図４】
2020036570.tif 000013
【図５】
2020036570.tif 000014
【図６】
2020036570.tif 000015
【図７】
2020036570.tif 000016